(57)【要約】【課題】灯体を調整リングまたは基台から円滑に取り外すことができる埋込型標識灯を提供することである。【解決手段】灯体２を調整リング１または基台から取り外す際に、灯体２に設けられたテーパ角部１０に空気が流れ込む流路を形成できるので、灯体２を調整リング１または基台から上方に引き上げた場合にＯリング８ｂが灯体２の側面部に密着することがなく灯体２の取り外しが円滑に行える。【選択図】　図１
2004068378.tif 000002
【特許請求の範囲】
【請求項１】
ランプを内蔵した灯体と；
前記灯体のフランジ部で前記灯体全体を支持する調整リングまたは基台と；
前記灯体のフランジ部と前記灯体の側面部との角部に設置され前記調整リングまたは基台と前記灯体との間の気密性を保持するＯリングと；
前記Ｏリングが設置された前記灯体の側面部に形成され下方向に対して内向きであるテーパ角部と；
を備えたことを特徴とする埋込型標識灯。
【請求項２】
前記灯体のフランジ部の側面部と前記調整リングまたは基台の側面部との間に塵埃が進入することを防止するための塵埃進入防止部材を設けたことを特徴とする請求項１記載の埋込型標識灯。
【発明の詳細な説明】
【０００１】
【発明の属する技術分野】本発明は、空港における滑走路や誘導路あるいは道路に埋め込まれて通行区分等を表示する埋込型標識灯に関する。
【０００２】
【従来の技術】埋込型標識灯は空港の滑走路や道路に基台を形成し、その基台に灯体を装着して使用される。基台は地中に位置するように形成される。通常、基台と灯体との間には調整リングが設けられ、調整リングで灯体の設置の方向を調整するようにしている。埋込深さに制限がある場合には、基台に直接的に灯体が設置される場合もある。
【０００３】
このような埋込型標識灯では、航空機の離着陸時あるいは走行時、自動車の走行時等にこれらのタイヤが埋込型標識灯上を滑走や走行して通過するため、通過時に破損しないよう堅牢にできている。また、灯体と調整リングまたは基台との間は気密性を保ち電源供給部に雨などの水が浸透しないように考慮されている。
【０００４】
図１０は、調整リング１に灯体２が設置される場合の埋込型標識灯の概略構成図であり、図１０（ａ）は平面図、図１０（ｂ）は図１０（ａ）のＡ−Ａ線での断面側面図である。図示省略の基台は空港の滑走路や道路の路中に形成され、その基台の上部に調整リング１がボルト３ａで装着される。そして、その調整リング１の上部に灯体２がナット３ｂで装着される。灯体２にはランプ４が内蔵されており、ランプ４からの光はプリズム５を通って滑走路や道路等に出射される。一方、基台には、灯体２を調整リング１に装着したときランプ４を電気的に接続するために灯体側の端子６ａと嵌め合う端子台６ｂが設けられ、また、端子台６ｂに電源を供給するためのプラグ７が設けらる。このプラグ７は基台の内部に電源を取り込むための外部端子に接続される。
【０００５】
図１１は、図１０のＢ部分の拡大図である。灯体２は上部灯体２ａと下部灯体２ｂとからなり、上部灯体２ａと下部灯体２ｂとの間にはＯリング８ａが配置され気密性を保持するようにしている。通常、上部灯体２ａと下部灯体２ｂとは一体的に調整リング１に対して着脱される。内蔵しているランプ４の点検や取り替えの際に分離される。
【０００６】
上部灯体２ａと下部灯体２ｂとが一体となった灯体２は、端部にフランジ部を有し、そのフランジ部と灯体２の側面部との角部にはＯリング８ｂが設置されている。すなわち、そのフランジ部が調整リング１の平面部に搭載されて、ナット３ｂで取り付けられ、調整リング１は灯体２全体を支持すると共に、Ｏリング８ｂにより調整リング１と灯体２との間の気密性を保持するようにしている。また、灯体２を着脱可能とするため灯体２のフランジ部の側面部と調整リング１の側面部との間には僅かな隙間９が設けられている。
【０００７】
【発明が解決しようとする課題】ところが、このような埋込型標識灯では、灯体２を調整リング１から取り外す際に、Ｏリング８ｂにより気密性が保たれているため、調整リング１の内部が負圧となり灯体２を取り外しにくい現象が起こる。図１２は灯体２を調整リング１から取り外す際の説明図であり、図１２（ａ）は灯体２を調整リング１に装着した状態を示し、図１２（ｂ）は灯体２を調整リング１から取り外している過程を示している。図１２（ｂ）に示すように、灯体２を上方に引き上げようとした場合にはＯリング８ｂが調整リング１と灯体２との間に密着して取り外しが困難となる。
【０００８】
押込型標識灯は、空港における滑走路や誘導路あるいは道路に埋め込まれて使用されるものであるから、その点検や保守作業は迅速に行う必要があり、灯体２を調整リング１から取り外す作業が円滑に行われることが要請されている。
【０００９】
また、灯体２を着脱可能とするために、灯体２のフランジ部の側面部と調整リング１の側面部との間には僅かな隙間９が設けられているが、この隙間に塵埃が蓄積していると、灯体２を調整リング１から取り外すことが困難となり、その掃除作業などで手間取る問題がある。
【００１０】
本発明の目的は、灯体を調整リングまたは基台から円滑に取り外すことができる埋込型標識灯を提供することである。
【００１１】
【課題を解決するための手段】請求項１の発明に係る埋込型標識灯は、ランプを内蔵した灯体と；前記灯体のフランジ部で前記灯体全体を支持する調整リングまたは基台と；前記灯体のフランジ部と前記灯体の側面部との角部に設置され前記調整リングまたは基台と前記灯体との間の気密性を保持するＯリングと；前記Ｏリングが設置された前記灯体の側面部に形成され下方向に対して内向きであるテーパ角部と；を備えたことを特徴とする。
【００１２】
本発明および以下の発明において、特に指定しない限り用語の定義および技術的意味は以下による。
【００１３】
埋込型標識灯は、例えば高強度アルミニウム合金鋳物で成形した灯体を有し、その灯体の内部にランプを有している。ランプは例えばハロゲン電球であり、ランプらからの光は灯体の上部に設けられたプリズムを通して外部に出射される。
【００１４】
基台は路中に埋設され、直接または調整リングを介して、灯体のフランジ部で灯体全体を支持し装着する。調整リングまたは基台に装着された灯体は、内部のランプからの光をプリズムを介して仰角方向に垂直な上下幅は狭く、水平な左右には幅広く放射する。
【００１５】
Ｏリングは灯体のフランジ部と灯体の側面部との角部に設置される。通常、灯体の表面に設けられた溝部に嵌合して配置され、調整リングまたは基台と灯体との間の気密性を保持する。Ｏリングが設置された灯体の側面部には、下方向に対して内向きであるテーパ角部が形成される。このテーパ角部は灯体を調整リングまたは基台から取り外す際にＯリングが灯体の側面部に密着するのを防止する。
【００１６】
本発明によれば、灯体を調整リングまたは基台から取り外す際に、灯体に設けられたテーパ角部に空気が流れ込む流路を形成できるので、灯体を調整リングまたは基台から上方に引き上げた場合にＯリングが灯体の側面部に密着することがなく灯体の取り外しが円滑に行える。
【００１７】
請求項２の発明に係る埋込型標識灯は、請求項１の発明において、前記灯体のフランジ部の側面部と前記調整リングまたは基台の側面部との間に塵埃が進入することを防止するための塵埃進入防止部材を設けたことを特徴とする。
【００１８】
本発明は、請求項１の発明において、灯体のフランジ部の側面部と調整リングまたは基台の側面部との間の隙間に塵埃進入防止部材を設けたものである。
【００１９】
塵埃進入防止部材としては、灯体のフランジ部の側面部と調整リングまたは基台の側面部との隙間を覆うドーナツ状のテープ、灯体のフランジ部の側面部と調整リングまたは基台の側面部との隙間に設けられた舌状パッキンまたはチューブ状ゴム体のいずれかを用いる。
【００２０】
本発明によれば、塵埃進入防止部材が灯体のフランジ部の側面部と調整リングまたは基台の側面部との隙間に進入する塵埃を防止するので、塵埃の付着が軽減できる。従って、灯体を調整リングから取り外す際に塵埃の付着による抵抗が少なくなり、また塵埃の掃除作業などで手間取ることもなくなる。
【００２１】
【発明の実施の形態】以下、本発明の実施の形態を説明する。図１は本発明の第１の実施の形態に係る埋込型標識灯における灯体と調整リングとの接合部分の拡大図である。この第１の実施の形態は、図１２に示した従来例に対し、Ｏリング８ｂが設置された灯体２の側面部にテーパ角部１０を形成したものである。図１２に示した従来例と同一要素には同一符号を付し重複する説明は省略する。
【００２２】
図１において、Ｏリング８ｂが設置された下部灯体２ｂの側面部には、下方向に対して内向きであるテーパ角部１０が形成されている。すなわち、鉛直方向に対して所定角度だけ拡がりを持ったテーパ角部１０が形成されている。
【００２３】
図２はであり、図２（ａ）は灯体２を調整リング１に装着した状態を示し、図２（ｂ）は灯体２を調整リング１から取り外している過程を示している。図２（ａ）に示すように、Ｏリング８ｂは下部灯体２ｂのフランジ部の下部とその側面部との角部に設置され、図示は省略するが、通常、Ｏリング８ｂは下部灯体２ｂに設けられた溝部に一部が嵌め込まれて配置されている。このように、灯体２が調整リング１に装着されている状態では、Ｏリング８ｂは下部灯体２ｂと調整リング１との間に密着している。これにより、調整リング１と灯体２との間の気密性を保持する。
【００２４】
次に、図２（ｂ）に示すように、灯体２を調整リング１から取り外している状態では、Ｏリング８ｂは下部灯体２ｂに設けられた溝部から外れて、下部灯体２ｂの側面部との間に空隙が生じ、この空隙から空気が流入する。従って、灯体２を調整リング１から上方に引き上げた場合にＯリング８ｂが灯体２の側面部に密着することがなく灯体２の取り外しが円滑に行える。
【００２５】
以上の説明では、調整リング１に灯体２を装着した場合について説明したが基台に直接的に灯体２を取り付けた場合においても、調整リング１を基台と読み替えれば同様である。
【００２６】
第１の実施の形態によれば、灯体２を調整リング１または基台から取り外す際に、灯体２の側面部に設けられたテーパ角部により空気が流れ込む流路が形成できるので、灯体２を調整リング１または基台から上方に引き上げた場合にＯリング８ｂが灯体２の側面部に密着することがなく灯体２の取り外しが円滑に行える。
【００２７】
次に、本発明の第２の実施の形態を説明する。図３は本発明の第２の実施の形態に係る埋込型標識灯の平面図、図４は本発明の第２の実施の形態に係る埋込型標識灯における灯体と調整リングとの接合部分の拡大図である。この第２の実施の形態は、第１の実施の形態に対し、灯体２のフランジ部の側面部と調整リング１または基台の側面部との間に塵埃が進入することを防止するための塵埃進入防止部材としてテープ１１を設けたものである。
【００２８】
調整リング１または基台と灯体２との嵌め合いの隙間９の上部にテープ１１を貼り付けて塵埃の進入防止を図っている。テープ１１の片面には粘着材（糊）が塗布されており、また、テープ１１はドーナツ状に形成されている。図３では嵌め合い部の隙間の全周にわたって設けられている。
【００２９】
第２の実施の形態によれば、調整リングまたは基台と灯体との間の隙間をテープで塞ぐので、塵埃（ゴミ・チリ・埃・小石等）が入り込むことを防ぐことができる。また、テープ１１と灯体２とは粘着材（糊）にて容易に固定されるので作業に時間がかかることがない。
【００３０】
次に、本発明の第３の実施の形態を説明する。図５は本発明の第３の実施の形態に係る埋込型標識灯における灯体と調整リングとの接合部分の拡大図である。この第３の実施の形態は、第２の実施の形態に対し、テープ１１に代えて塵埃進入防止部材として舌状パッキン１２を、灯体２のフランジ部の側面部と調整リング１または基台の側面部との間に設けたものである。
【００３１】
図５に示すように、　調整リング１または基台と灯体２との嵌め合いの隙間９に舌状パッキン１２を設けて塵埃の進入防止を図っている。舌状パッキン１２は灯体２のフランジ部の側面に設けられた溝部に、その一部が嵌合されて保持されている。また、舌状パッキン１２は灯体２のフランジ部の側面全周にわたって設けられている。
【００３２】
第３の実施の形態によれば、調整リング１または基台と灯体２との嵌め合いの隙間９に舌状パッキン１２を設けているので、塵埃（ゴミ・チリ・埃・小石等）が入り込むことを防ぐことができる。
【００３３】
次に、本発明の第４の実施の形態を説明する。図６は本発明の第４の実施の形態に係る埋込型標識灯における灯体と調整リングとの接合部分の拡大図である。この第４の実施の形態は、第３の実施の形態に対し、塵埃進入防止部材としての舌状パッキン１２が設けられる隙間９をすり鉢状に形成したものである。
【００３４】
図６に示すように、調整リング１または基台の側面部に傾斜面１３を設け、舌状パッキン１２が設けられる隙間９をすり鉢状に形成している。これは、灯体２の着脱作業特に引き上げ（脱作業）で舌状パッキン１２が逆反りとなることを防止するためである。すなわち、隙間９が一定幅である場合には灯体２を引き上げると舌状パッキン１２が逆反りとなり引き上げ力の抵抗となることがある。そこで、隙間９をすり鉢状に形成して舌状パッキン１２が逆反りを防止し、灯体２の引き上げ作業を円滑に行えるようにしている。
【００３５】
ここで、隙間９をすり鉢状の形成したときには塵埃が進入する進入口が大きくなるので、図７に示すように、灯体２の側面部に傾斜面１４を設け、隙間９の間隔を一定に保つようにしても良い。これにより、隙間９の拡大を避けることができるので塵埃の侵入口の最小化が図れる。
【００３６】
第４の実施の形態によれば、調整リング１または基台と灯体２との嵌め合いの隙間９に舌状パッキン１２を設けているので、塵埃（ゴミ・チリ・埃・小石等）が入り込むことを防ぐことができ、また、隙間９を形成する調整リング１または基台の側面に傾斜を持たせているので、灯体２の着脱作業、特に引き上げ作業を円滑に行うことができる。
【００３７】
次に、本発明の第５の実施の形態を説明する。図８は本発明の第５の実施の形態に係る埋込型標識灯における灯体と調整リングとの接合部分の拡大図である。この第５の実施の形態は、第２の実施の形態に対し、テープ１１に代えて塵埃進入防止部材としてチューブ状ゴム体１５を、灯体２のフランジ部の側面部と調整リング１または基台の側面部との間に設けたものである。このチューブ状ゴム体１５には調整リング１または基台に設けられたエアバルブ１６から空気が供給され所定の大きさに保持される。
【００３８】
図８に示すように、チューブ状ゴム体１５は調整リング１または基台に設けられたエアバルブ１６に接続され、エアバルブ１６を介して空気の注入や排出によってチューブ状ゴム体１５が膨張収縮する。従って、隙間９の大きさに合わせて隙間９を覆うことができ塵埃の進入を防止する。エアバルブ１６は、図９に示すように、調整リング１または基台に代えて灯体２側に設けるようにしても良い。
【００３９】
第５の実施の形態によれば、空気の注入によってチューブ状ゴム体１５が膨張拡大し、水密パッキンとして作用し塵埃の侵入を防止する。一方、灯体２の交換などの着脱の際には、空気の排出によりチューブ状ゴム体１５を収縮させる。これにより、灯体２の着脱も容易に行うことができる。
【００４０】
【発明の効果】請求項１の発明によれば、灯体を調整リングまたは基台から取り外す際に、灯体に設けられたテーパ角部に空気が流れ込む流路を形成できるので、灯体を調整リングまたは基台から上方に引き上げた場合にＯリングが灯体の側面部に密着することがなく灯体の取り外しが円滑に行える。
【００４１】
請求項２の発明によれば、塵埃進入防止部材が灯体のフランジ部の側面部と調整リングまたは基台の側面部との隙間に進入する塵埃を防止するので、塵埃の付着が軽減できる。従って、灯体を調整リングから取り外す際に塵埃の付着による抵抗が少なくなり、また塵埃の掃除作業などで手間取ることもなくなる。
【図面の簡単な説明】
【図１】本発明の第１の実施の形態に係る埋込型標識灯における灯体と調整リングとの接合部分の拡大図。
【図２】本発明の第１の実施の形態に係る埋込型標識灯における灯体を調整リングから取り外す際の説明図。
【図３】本発明の第２の実施の形態に係る埋込型標識灯の平面図。
【図４】本発明の第２の実施の形態に係る埋込型標識灯における灯体と調整リングとの接合部分の拡大図。
【図５】本発明の第３の実施の形態に係る埋込型標識灯における灯体と調整リングとの接合部分の拡大図。
【図６】本発明の第４の実施の形態に係る埋込型標識灯における灯体と調整リングとの接合部分の拡大図。
【図７】本発明の第４の実施の形態に係る埋込型標識灯における灯体と調整リングとの接合部分の他の一例の拡大図。
【図８】本発明の第５の実施の形態に係る埋込型標識灯における灯体と調整リングとの接合部分の拡大図。
【図９】本発明の第５の実施の形態に係る埋込型標識灯における灯体と調整リングとの接合部分の他の一例の拡大図。
【図１０】調整リングに灯体が設置される場合の従来の埋込型標識灯の概略構成図であり、図１０（ａ）は平面図、図１０（ｂ）は図１０（ａ）のＡ−Ａ線での断面側面図。
【図１１】図１０のＢ部分の拡大図。
【図１２】従来の埋込型標識灯における灯体を調整リングから取り外す際の説明図。
【符号の説明】
１…調整リング、２…灯体、３ａ…ボルト、３ｂ…ナット、４…ランプ、５…プリズム、６ａ…端子、６ｂ…端子台、７…プラグ、８…Ｏリング、９…隙間、１０…テーパ角部、１１…テープ、１２…舌状パッキン、１３…傾斜面、１４…傾斜面、１５…チューブ状ゴム体、１６…エアバルブ
【図１】
2004068378.tif 000003
【図２】
2004068378.tif 000004
【図３】
2004068378.tif 000005
【図４】
2004068378.tif 000006
【図５】
2004068378.tif 000007
【図６】
2004068378.tif 000008
【図７】
2004068378.tif 000009
【図８】
2004068378.tif 000010
【図９】
2004068378.tif 000011
【図１０】
2004068378.tif 000012
【図１１】
2004068378.tif 000013
【図１２】
2004068378.tif 000014